(57)【特許請求の範囲】
【請求項１】
食器洗浄機本体と、
この食器洗浄機本体内に設けられた洗浄槽と、
この洗浄槽内で食器を洗浄する洗浄手段と、
この洗浄手段によって食器から洗い流された残菜を収集する残菜フィルタと、
一端が残菜フィルタの下流に連通し他端が排水ポンプに連通している排水通路と、
排水通路の途中に設けられており前記残菜フィルタに収集された残菜を排出する排水切換弁と、
一端が排水切換弁に連通し他端が食器洗浄機の外部に開口して残菜を食器洗浄機の外部に排出する残菜排出通路と、
残菜フィルタに収集された残菜を洗い流す水を前記残菜フィルタに前記食器洗浄機の外部から供給する残菜洗い流し通路と、
この残菜洗い流し通路を開閉する残菜洗い流し弁を有し、
前記残菜フィルタで収集された残菜が排水ポンプを経由しないで食器洗浄機の外部に排出され、
残菜洗い流し弁は、洗浄槽から洗浄水が排水された後に開くことを特徴とする食器洗浄機。
【請求項２】
残菜フィルタは、開口と、その開口を開閉する開閉フィルタを有し、
その開閉フィルタは中央が上方に突き出した三角形形状であることを特徴とする請求項１に記載の食器洗浄機。
【発明の詳細な説明】
【０００１】
【発明の属する技術分野】
本発明は、食器を洗浄する食器洗浄機に関するものである。特に、残菜の排出に好適な技術に関する。
【０００２】
【従来の技術】
従来の技術に関する食器洗浄機の一例（例えば、特許公報第２６２１５３９号公報）を、図１〜図３を参照して説明する。図１は、食器洗浄機と生ゴミ処理機を示す斜視図である。図２は、前面扉が開いた状態にあるときの食器洗浄機の斜視図である（内部に収容される食器カゴ等の図示は省略してある）。図３は、食器洗浄機の概略縦断面図である。
略箱状の洗浄機本体１１２の中には、洗浄槽１２２が収められている。洗浄槽１２２は前方（図３の図示の左側）に開放部を持つ箱状をしている。洗浄槽１２２の前方の開放部に蓋をする前面扉１１４が設けられている。この前面扉１１４は、図３に実線で示す「閉位置」と、二点鎖線で示した「開位置」との間で開閉する。洗浄槽１２２の中には、食器１１８を収めるための食器カゴ１１６が配設されている。洗浄槽１２２の底部には洗浄水１２６が入れられており、食器洗浄機１１０が運転されているときには、吸い込み通路１３３を通って、洗浄水１２６が洗浄ポンプ１３２に吸い込まれ、洗浄水１２６が加圧される。加圧された洗浄水１２６は、吐出通路１３５を通って、洗浄ノズル１３４に形成されている複数のノズル穴１３４ａから勢いよく噴出して、食器１１８を洗浄する。食器１１８を洗浄した洗浄水１２６は、洗浄槽１２２の底部に戻り、網の目状の残菜フィルタ１５２を通過し、吸い込み通路１３３を経由して、再び洗浄ポンプ１３２に吸い込まれる。即ち、洗浄水１２６は、洗浄ポンプ１３２→洗浄ノズル穴１３４ａからの噴出→食器１１８の洗浄→残菜フィルタ１５２→洗浄ポンプ１３２と循環する。この洗浄水１２６の循環作用によって、食器１１８は洗浄される。
食器洗浄機１１０の使用者は、前面扉１１４を開けて食器カゴ１１６に食器１１８を収め、前面扉１１４を閉め、食器洗浄機１１０を運転して食器１１８を洗浄する。食器洗浄機１１０の洗浄運転が終了後、前面扉１１４を開けて、食器カゴ１１６から食器１１８を取り出す。
【０００３】
洗浄前の食器１１８に残菜（野菜くず、魚の骨  等）が残っている場合、使用者はシュート１３８の上で残菜を食器１１８から除去（振り落とす）する。除去された残菜は、シュート１３８に落とし込まれ、食器洗浄機１１０の下方に設置されている生ゴミ処理機１７１に捨てられる。しかし、この状態では、残菜は完全に食器１１８から除去されるわけではなく、ある程度の残菜は食器１１８に付着して残っている。残菜が付着した食器１１８は、そのまま食器カゴ１１６に収められ、洗浄される。残菜が付着したままの食器１１８が洗浄されると、残菜は洗浄水１２６によって洗い流され、洗浄槽１２２の底部に達する。洗浄水１２６は、洗浄槽１２２の中を循環しており、残菜フィルタ１５２を通過するので、残菜は残菜フィルタ１５２に収集される。食器洗浄機１１０の洗浄運転が終了すると、使用者は洗浄槽１２２の底部に手を入れて、洗浄槽１２２から残菜フィルタ１５２を取り外す。取り外された残菜フィルタ１５２は、洗浄して残菜を除去してから洗浄槽１２２に戻される。
【０００４】
【発明が解決しようとする課題】
従来の食器洗浄機１１０は、洗浄運転が終了すると、使用者は残菜フィルタ１５２を洗浄槽１２２から取り外し、残菜フィルタ１５２を洗浄して残菜を除去した後、再び洗浄槽１２２に戻す。しかしながら、洗浄運転が終了するごとに残菜フィルタ１５２を取り外して、残菜フィルタ１５２を洗浄するのは面倒である。かといって、この残菜フィルタ１５２の洗浄を怠ると、残菜フィルタ１５２が目詰まりを起こし、洗浄水１２６の循環が妨げられ食器１１８の洗浄ができなくなったり、洗浄槽１２２から洗浄水１２６があふれたりする。また、残菜フィルタ１５２に残菜を放置すると、残菜が腐敗して異臭を発生させてしまう。
【０００５】
本発明は、使用者による残菜フィルタに収集された残菜の除去が不要な食器洗浄機を提供することを課題とする。
【０００６】
【課題を解決するための手段および作用と効果】
請求項１に記載の食器洗浄機は、食器洗浄機本体と、この食器洗浄機本体内に設けられた洗浄槽と、この洗浄槽内で食器を洗浄する洗浄手段と、この洗浄手段によって食器から洗い流された残菜を収集する残菜フィルタと、一端が残菜フィルタの下流に連通し他端が排水ポンプに連通している排水通路と、排水通路の途中に設けられており前記残菜フィルタに収集された残菜を排出する排水切換弁と、一端が排水切換弁に連通し他端が食器洗浄機の外部に開口して残菜を食器洗浄機の外部に排出する残菜排出通路と、残菜フィルタに収集された残菜を洗い流す水を前記残菜フィルタに前記食器洗浄機の外部から供給する残菜洗い流し通路と、この残菜洗い流し通路を開閉する残菜洗い流し弁を有している。そして、前記残菜フィルタで収集された残菜が排水ポンプを経由しないで食器洗浄機の外部に排出され、残菜洗い流し弁は、洗浄槽から洗浄水が排水された後に開く。
従って、本発明の構成によれば、使用者は残菜フィルタに収集された残菜の除去（洗浄）を自ら行う必要が無く、面倒な残菜フィルタの洗浄という作業から開放される。使用者が残菜フィルタの洗浄を行わないので、残菜フィルタの洗浄を怠って残菜フィルタが目詰まりを起こし、洗浄水の循環が妨げられ食器の洗浄ができなくなったり、洗浄槽から洗浄水があふれたりすることもない。また、残菜フィルタに残菜が放置されて腐敗し、異臭が発生することもない。
また、残菜排出弁が開いて、残菜フィルタに収集された残菜が排出されても、残菜フィルタには残菜が多少は残される。上述した食器洗浄機の残菜洗い流し弁は、洗浄槽から洗浄水が排水された後に開く。残菜洗い流し弁が開くと、食器洗浄機の外部から供給される水（洗い流し水）が、残菜洗い流し通路を通って残菜フィルタに流される。残菜フィルタに水が流されると、この水流によって残菜フィルタに残っている残菜は完全に洗い流される。従って、残菜フィルタに収集された残菜を、よりよく食器洗浄機の外に排出することができる。
【０００７】
請求項１の食器洗浄機において、残菜フィルタは、開口と、その開口を開閉する開閉フィルタを有し、その開閉フィルタは中央が上方に突き出した三角形形状であることが好ましい。
上記の食器洗浄機の残菜フィルタは、開口と、その開口を開閉する開閉フィルタを有している。そして、開閉フィルタは中央が上方に突き出した三角形形状である。このように、開閉フィルタの中央が上方に突き出した三角形形状であると、重力の作用によって、開閉フィルタから残菜が排出されやすい。
【００１０】
【発明の実施の形態】
後記する本発明の実施例の主要な特徴を記載する。
（形態１）請求項１に記載の洗浄手段は、洗浄ノズル、洗浄ポンプ、吸い込み通路、吐出通路、食器カゴ等である。洗浄ポンプで加圧された洗浄水は、吐出通路を通って洗浄ノズルから噴出し、食器カゴに収められた食器を洗浄する。食器を洗浄した洗浄水は、吸い込み通路を通って洗浄ポンプに戻る。このように洗浄水が循環することにより、食器は洗浄される。
（形態２）請求項４に記載の残菜検知手段は、差圧センサである。残菜フィルタに残菜が収集されると、残菜フィルタを通過する洗浄水が流れにくくなり、残菜フィルタの上流と下流で圧力差（差圧）が生じる。差圧センサによって、残菜フィルタの上流と下流の圧力差を測ることにより、残菜の量が許容値を越えたことを検知できる。
【００１１】
【実施例】
（実施例１）本発明の第１実施例に係る食器洗浄機について、図４を参照して説明する。図４は、食器洗浄機の概略縦断面図である。
まず、食器洗浄機１０の構成を説明する。食器洗浄機１０は、洗浄機本体１２、洗浄槽２２，洗浄ポンプ３２、残菜フィルタ５５、残菜排出弁６２等から構成されている。
箱状の洗浄機本体１２の中には、洗浄槽２２が収められている。洗浄槽２２は、洗浄機本体１２の前方（図４の図示の左側）に開放部を持つ箱状をしている。洗浄槽２２の前方の開放部に蓋をする前面扉１４が設けられている。この前面扉１４は、使用者に操作されて、図４に実線で示す「閉位置」と、一点鎖線で示した「開位置」との間で開閉する。前面扉１４が閉じられていると、前面扉１４によって洗浄槽２２は密閉される。電気制御回路（図示していない）によって、前面扉１４が閉められていないと、食器洗浄機１０は運転されないようになっている。
洗浄槽２２の下方には食器カゴ１６が配設されている。食器カゴ１６は線状の部材から製作されており、食器カゴ１６に収められる種々の食器１８を保持する機能を有している。
【００１２】
食器洗浄機１０の洗浄運転時には、洗浄槽２２の底部に洗浄水２６が入れられている。電気モータで駆動される洗浄ポンプ３２は、吸い込み通路３３によって洗浄槽２２の底部と、吐出通路３５によって洗浄ノズル３４と連通している。洗浄ノズル３４は、食器カゴ１６の下方に配設されており、軸部３９を軸として回転自由となっている。また、洗浄ノズル３４には複数のノズル穴３４ａが形成されている。
残菜洗い流し通路４１には残菜洗い流し弁４２が取り付けられている。また、残菜洗い流し通路４２の一端は洗浄槽２２に形成されている給水口２２ａに連通し、他端へは食器洗浄機１０の外部から水が供給される（本実施例では、残菜洗い流し弁４２は洗浄槽２２へ洗浄水２６を給水する給水弁としての機能も合わせ持っている）。
【００１３】
洗浄槽２２の底部には残菜フィルタ５５が取り付けられている。残菜フィルタ５５は網の目状に形成されている。残菜フィルタ５５の中央部は開口しており、この開口部を残菜排出弁６２が開閉する。残菜排出弁６２はソレノイドを内蔵している電磁弁であり、このソレノイドによって開閉フィルタ６２ａを作動させる。開閉フィルタ６２ａは残菜フィルタと同様の網の目状をしており、残菜排出弁６２のソレノイドの作動により、残菜フィルタ５５の開口部を閉じる「閉位置」（６２ｂの位置）と「開位置」（６２ｃの位置）の間を移動する。図４に示されているように、開閉フィルタ６２ａは、中央が上方に突き出した三角形形状をしている。
排水通路４５によって、洗浄槽２２の底部と食器洗浄機１０の外部とは連通しており、排水通路４５の途中には、電気モータで駆動される排水ポンプ４６が取り付けられている。図４に示されているように、排水通路４５の一部は「逆Ｕ字」状に形成されているので、排水ポンプ４６によって吸い出されないと、洗浄槽２２の底部に入れられた洗浄水２６が排出されることはない。
排水通路４５の途中には排水切替弁６５が取り付けられている。排水切替弁６５は、排水を排水通路４５側に流すか、残菜排出通路６６側に流すかの切替を行う。残菜排出通路６６は、生ゴミ処理機７１に連通している。
なお、洗浄ポンプ３２、残菜洗い流し弁４２、残菜排出弁６２、排水切替弁６５等の作動は、図示しない電気制御回路によって制御される。
【００１４】
つぎに、食器洗浄機１０の動作を説明する。
使用者は、前面扉１４を開けて洗浄槽２２の中の食器カゴ１６に食器１８を収め、前面扉１４を閉めてから、食器洗浄機１０を運転する。この食器１８には、残菜が付着している。食器洗浄機１０の運転が開始されると、残菜洗い流し弁４２が開き、食器洗浄機１０の外部から残菜洗い流し通路４１を通って給水口２２ａから洗浄槽２２の底部に洗浄水２６が供給される。洗浄槽２２の底部に洗浄水２６が入れられると、残菜洗い流し弁４２が閉じ、洗浄槽２２への洗浄水２６の供給は終了する。この時、残菜排出弁６２の開閉フィルタ６２ａは閉位置（６２ｂの位置）に位置している。また、排水切替弁６５は残菜排出通路６６側を閉じる位置（６５ａの位置）に位置している。続いて、洗浄ポンプ３２が作動を開始し、洗浄槽２２の底部の洗浄水２６が吸い込み通路３３を通って洗浄ポンプ３２に吸い込まれ、加圧される。加圧された洗浄水２６は、吐出通路３５を通って洗浄ノズル３４に供給され、複数のノズル穴３４ａから勢いよく噴出する。洗浄ノズル３４は、軸部３９を軸として回転自由なので、洗浄ノズル３４は洗浄水２６がノズル穴３４ａから噴出する反動作用で回転する。洗浄ノズル３４が回転しながらノズル穴３４ａから洗浄水２６を噴出することにより、洗浄水２６は食器１８にさまざまな角度で吹き付けられ、食器１８を洗浄し、洗浄水２６は洗浄槽２２の底部に戻る。
【００１５】
食器１８が洗浄水２６によって洗浄されると、食器１８に付着していた残菜は洗い流されて、洗浄水２６の中に混入する。洗浄槽２２底部に戻った残菜が混入している洗浄水２６は、残菜フィルタ５５と開閉フィルタ６２ａを通って、再び洗浄ポンプ３２に吸い込まれる。残菜が混入した洗浄水２６が残菜フィルタ５５と開閉フィルタ６２ａを通ると、残菜は、残菜フィルタ５５と開閉フィルタ６２ａに収集される。洗浄水２６は、洗浄ポンプ３２→洗浄ノズル穴３４ａからの噴出→食器１８の洗浄→残菜フィルタ５５／開閉フィルタ６２ａ→洗浄ポンプ３２と循環するので、残菜は残菜フィルタ５５と開閉フィルタ６２ａに収集されてゆく。
【００１６】
食器１８の洗浄が終了したときには、残菜フィルタ５５と開閉フィルタ６２ａには残菜が収集されている。つぎに、残菜排出弁６２の開閉フィルタ６２ａが開位置（６２ｃの位置）となり、また、排水切替弁６５は残菜排出通路６６を開く（６５ｂの位置）。排水切替弁６５が残菜排出通路６６を開くと、洗浄槽２２に入れられていた洗浄水２６は残菜排出通路６６から生ゴミ処理機７１へ排出される。この洗浄水２６の流れで、残菜フィルタ５５と開閉フィルタ６２ａに集められていた残菜は洗い流され、残菜排出通路６６を通って、洗浄水２６とともに生ゴミ処理機７１へ排出される。ただし、この時点では、残菜フィルタ５５と開閉フィルタ６２ａに収集されていた残菜は完全に洗い流されていない。続いて、残菜洗い流し弁４２が開いて、洗浄槽２２の中に水（洗い流し水）が入れられる。この洗い流し水は残菜フィルタ５５と開閉フィルタ６２ａを流れ、残菜フィルタ５５と開閉フィルタ６２ａに残っている残菜は完全に洗い流され、残菜は残菜排出通路６６を通って生ゴミ処理機７１へ排出される。なお、図４に示されているように、開閉フィルタ６２ａは、残菜が洗い流されやすいように、中央が上方に突き出した三角形形状をしている。残菜の洗い流しが終了すると、残菜洗い流し弁４２は閉じて、洗浄槽２２への洗い流し水の供給は止まり、排水切替弁６５は残菜排出通路６６を閉じ（６５ａの位置）、残菜排出弁６２の開閉フィルタ６２ａは閉位置（６２ｂの位置）に移動する。
この後、図示しない食器乾燥装置が作動して、食器１８は乾燥される。食器１８の乾燥が終了後、使用者は前面扉１４を開けて、洗浄／乾燥された食器１８を食器洗浄機１０から取り出す。
【００１７】
以上述べたように、本実施例に係る食器洗浄機１０は、残菜が自動的に生ゴミ処理機へ排出される。
従って、使用者は、残菜フィルタの洗浄という面倒な作業から解放される。また、残菜フィルタの洗浄を怠ったがために、食器の洗浄ができなくなったり、洗浄槽から洗浄水があふれたり、残菜が腐敗した異臭で不快になることもない。また、残菜は生ゴミ処理機で処理されるので衛生的である。
【００１８】
（実施例２）本発明の第２実施例に係わる食器洗浄機について、図５を参照して説明する。図５は、食器洗浄機の概略縦断面図である。なお、図５に示す部材で、図４に示す部材と同様の機能を果たすものについては、同じ参照番号を付し、重複した説明は省略する。
図５に示す第２実施例に係る食器洗浄機１０ａでは、残菜フィルタ７３を開閉する残菜排出弁７５が残菜排出通路７６の一端に連通している。残菜排出通路の他端は、生ゴミ処理機７１に連通している。残菜排出弁７５はソレノイドを内蔵している電磁弁であり、このソレノイドによって開閉弁７５ａを開閉する。この開閉弁７５ａは、残菜フィルタ７３の開口部を閉じる「閉位置」（７５ｂの位置）と「開位置」（７５ｃの位置）の間を移動する。残菜排出弁７５と生ゴミ処理機７１は残菜排出通路７６によって連通している。第１実施例に係る食器洗浄機１０の排水切替弁６５は、本第２実施例に係る食器洗浄機１０ａには無く、構成がより簡単である。
【００１９】
つぎに、食器洗浄機１０ａの動作を説明する。
食器１８の洗浄が終了したときには、洗浄槽２２の底部には洗浄水２６が入れられており、残菜フィルタ７３には残菜が収集されている。続いて、残菜排出弁７５の開閉弁７５ａが開き（７５ｃの位置になる）、洗浄槽２２に溜まっていた洗浄水２６は残菜排出通路７６を通って生ゴミ処理機７１へ排出される。この洗浄水２６の流れで、残菜フィルタ７３に集められていた残菜は洗い流され、洗浄水２６とともに生ゴミ処理機７１へ排出される。
【００２０】
（実施例３）本発明の第３実施例に係る食器洗浄機について、図６を参照して説明する。図６は食器洗浄機の概略縦断面図である。なお、図６に示す部材で、図４に示す部材と同様の機能を果たすものについては、同じ参照番号を付し、重複した説明は省略する。
図６に示す第３実施例に係る食器洗浄機１０ｂでは、残菜フィルタ８１の上流側（図６に示す残菜フィルタ８１の上側。これに対し、下側を下流側とする）近傍の洗浄槽２２に残菜排出弁８３が取り付けられている。残菜排出弁８３はソレノイドを内蔵している電磁弁であり、このソレノイドによって開閉弁８３ａを開閉する。この開閉弁８３ａは、洗浄槽２２の開口部を閉じる「閉位置」（８３ｂの位置）と「開位置」（８３ｃの位置）の間を移動する。残菜排出弁８３と生ゴミ処理機７１は、残菜排出通路８５によって連通している。
残菜フィルタに８１に収集された残菜の量を検知する手段として、差圧センサ８６が設けられている。残菜フィルタ８１の上流８８と差圧センサ８６は上流圧力配管８７によって連通している。残菜フィルタ８１の下流８９と差圧センサ８６は下流圧力配管９１によって連通している。上流圧力配管８７と下流圧力配管９１が、それぞれ残菜フィルタ８１の上流８８の圧力と下流８９の圧力を差圧センサ８６に伝えることにより、差圧センサ８６は上流８８と下流８９の差圧を測ることができる。許容値を越える残菜が残菜フィルタ８１に収集されると、このとき生じる残菜フィルタ８１の上流８８と下流８９の圧力差によって、差圧センサは残菜フィルタ８１に収集された残菜の量が許容値を越えたことを検知する。
【００２１】
つぎに、食器洗浄機１０ｂの動作を説明する。
食器洗浄機１０ｂが運転されて、食器１８が洗浄されると、食器１８に付着していた残菜は洗い流されて、残菜は残菜フィルタ８１に収集される。残菜フィルタ８１に収集される残菜の量が増えてゆくと、残菜フィルタ８１を残菜が塞ぎ（目詰まりが起きる）、残菜の量が許容値を越え、残菜フィルタ８１の上流８８と下流８９の圧力差から、差圧センサ８６がこれを検知する。
食器洗浄機１０ｂの洗浄運転が終了したときには、洗浄槽２２の底部には洗浄水２６が入れられている。食器洗浄機１０ｂの洗浄運転終了前の洗浄中に、差圧センサ８６が、残菜フィルタ８１に許容値を越えるほどの残菜が収集されていることを検知していた場合には、残菜排出弁８３の開閉弁８３ａが開く（８３ｃの位置になる）。開閉弁８３ａが開くと、洗浄槽２２に入れられていた洗浄水２６は残菜排出通路８５を通って生ゴミ処理機７１へ排出される。洗浄水２６が排出されるときに、残菜フィルタ８１の部分では図６の矢印９３に示す流れが生じる。この流れで残菜フィルタ８１の残菜は洗い流され、残菜は洗浄水２６とともに生ゴミ処理機７１へ排出される。
【００２２】
本実施例に係る食器洗浄機１０ｂは、差圧センサ８６が検知する残菜フィルタ８１の上流８８と下流８９の差圧によって、残菜フィルタ８１に許容値を越える残菜が集まり、残菜の排出が必要になったことを知ることができる。このため、食器洗浄機の洗浄運転が終了するごとに残菜を排出するのではなく、必要になったときに残菜を排出するので、残菜排出のタイミングを最適にすることができる。残菜排出のタイミングを最適にすることにより、食器洗浄機１０ｂの運転時間の短縮化が可能となり、好都合である。
【００２３】
以上、本発明の実施例に係る食器洗浄機について説明したが、本発明は上記の実施例になんら限定されるものではなく、本発明は当事者の知識に基づいて種々の変更、改良を施した形態で実施することができる。
例えば、残菜フィルタの残菜量検知手段としては、残菜フィルタに重量センサをとりつけてもよい。この重量センサで残菜フィルタの重量を計測すれば、重量が大きくなったことにより、残菜の量が許容値を越えたことを検知できる。
また、残菜洗い流し弁は洗浄槽に洗浄水を給水する機能との兼用ではなく、給水弁を別個に設けてもよい。
また、洗い流し水は、洗浄槽に供給するのではなく、残菜洗い流し通路の一端を残菜フィルタの近傍に配置し、洗い流し水を残菜フィルタに直接吹き付けるようにしてもよい。この方式によれば、残菜フィルタから、残菜をより効率よく洗い流すことができる。
【図面の簡単な説明】
【図１】従来の技術の食器洗浄機と生ゴミ処理機を示す斜視図。
【図２】同食器洗浄機の斜視図（前面扉開状態）
【図３】同食器洗浄機の概略縦断面図
【図４】本発明の第１実施例に係る食器洗浄機の概略縦断面図
【図５】本発明の第２実施例に係る食器洗浄機の概略縦断面図
【図６】本発明の第３実施例に係る食器洗浄機の概略縦断面図
【符号の説明】
１０：食器洗浄機
１２：洗浄機本体
１４：前面扉
１６：食器カゴ
１８：食器
２２：洗浄槽、２２ａ：給水口
２６：洗浄水
３２：洗浄ポンプ
３３：吸い込み通路
３４：洗浄ノズル、３４ａ：ノズル穴
３５：吐出通路
３９：軸部
４１：残菜洗い流し通路
４２：残菜洗い流し弁
４５：排水通路
４６：排水ポンプ
５５：残菜フィルタ
６２：残菜排出弁、６２ａ：開閉フィルタ
６５：排水切替弁
６６：残菜排出通路
７１：生ゴミ処理機
７３：残菜フィルタ
７５：残菜排出弁、７５ａ：開閉弁
７６：残菜排出通路
８１：残菜フィルタ
８３：残菜排出弁、８３ａ：開閉弁
８５：残菜排出通路
８６：差圧センサ
８７：上流圧力配管
８８：残菜フィルタの上流
８９：残菜フィルタの下流
９１：下流圧力配管
【図１】
0003588579.tif 000002
【図２】
0003588579.tif 000003
【図３】
0003588579.tif 000004
【図４】
0003588579.tif 000005
【図５】
0003588579.tif 000006
【図６】
0003588579.tif 000007